【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
ジョブを実行できるスタンバイ状態と、前記スタンバイ状態より省電力のサスペンド状態とを取り得る画像形成装置であって、
前記スタンバイ状態から前記サスペンド状態に遷移するイベントの発生を検知する検知手段と、
前記検知手段による前記イベントの発生の検知に応じて、前記スタンバイ状態におけるメモリの内容を不揮発記憶装置に退避して、前記画像形成装置を前記スタンバイ状態から前記サスペンド状態へ遷移する遷移手段と、
前記サスペンド状態で電源オフが指示されると、前記スタンバイ状態を経由することなく前記サスペンド状態から電源オフの状態に移行するように制御する制御手段と、
前記電源オフの状態で電源オンが指示されると、前記不揮発記憶装置に退避している内容を前記メモリに復元する復元手段と、
を有することを特徴とする画像形成装置。
【請求項２】
前記制御手段は、前記メモリの内容を前記不揮発記憶装置に退避したことを示すフラグをセットし、前記復元手段は、当該フラグがセットされている場合に、前記不揮発記憶装置に退避している内容を前記メモリに復元する、ことを特徴とする請求項１に記載の画像形成装置。
【請求項３】
前記制御手段は、前記遷移手段が、前記スタンバイ状態におけるメモリの内容を不揮発記憶装置に退避して、前記画像形成装置を前記スタンバイ状態から前記サスペンド状態へ遷移した後、前記遷移手段への電力供給を停止するよう制御する、ことを特徴とする請求項１又は２に記載の画像形成装置。
【請求項４】
前記制御手段は、前記サスペンド状態で電源スイッチがオフされることを監視し、前記電源スイッチがオフされた場合に、前記スタンバイ状態を経由することなく前記サスペンド状態から電源オフの状態に移行するように制御する、ことを特徴とする請求項１乃至３の何れか１項に記載の画像形成装置。
【請求項５】
前記電源スイッチは、ユーザの操作に応じてオン状態又はオフ状態になるシーソースイッチである、ことを特徴とする請求項４に記載の画像形成装置。
【請求項６】
前記遷移手段は、メインボード上に配置されるメインＣＰＵを含み、
前記制御手段は、前記メインボードとは異なるサブボード上に配置されるサブＣＰＵを含む、ことを特徴とする請求項１乃至５の何れか１項に記載の画像形成装置。
【請求項７】
前記イベントは、ユーザが所定時間、操作部を操作しないこと、及び所定時間、ジョブが入力されないことの少なくとも１つを含む、ことを特徴とする請求項１乃至６の何れか１項に記載の画像形成装置。
【請求項８】
前記制御手段は、前記サスペンド状態から前記スタンバイ状態に遷移するイベントの検知に応じて、前記サスペンド状態から前記スタンバイ状態に移行するように制御する、ことを特徴とする請求項１乃至７の何れか１項に記載の画像形成装置。
【請求項９】
前記サスペンド状態から前記スタンバイ状態に遷移するイベントは、ジョブの受信、ユーザによる操作及びタイマによる所定時間の計時の少なくとも１つである、ことを特徴とする請求項８に記載の画像形成装置。
【請求項１０】
前記サスペンド状態では、前記制御手段に電力が供給されるが、前記遷移手段への電力供給が停止される、ことを特徴とする請求項１乃至９の何れか１項に記載の画像形成装置。
【請求項１１】
用紙に画像を形成する画像形成手段をさらに有する、ことを特徴とする請求項１乃至１０の何れか１項に記載の画像形成装置。
【請求項１２】
ジョブを実行できるスタンバイ状態と、前記スタンバイ状態より省電力のサスペンド状態とを取り得る画像形成装置を制御する画像処理装置の制御方法であって、
前記スタンバイ状態から前記サスペンド状態に遷移するイベントの発生を検知する検知工程と、
前記検知工程による前記イベントの発生の検知に応じて、前記スタンバイ状態におけるメモリの内容を不揮発記憶装置に退避して、前記画像形成装置を前記スタンバイ状態から前記サスペンド状態へ遷移する遷移工程と、
前記サスペンド状態で電源オフが指示されると、前記スタンバイ状態を経由することなく前記サスペンド状態から電源オフの状態に移行するように制御する制御工程と、
前記電源オフの状態で電源オンが指示されると、前記不揮発記憶装置に退避している内容を前記メモリに復元する復元工程と、
を有することを特徴とする画像形成装置の制御方法。
【請求項１３】
前記制御工程では、前記メモリの内容を前記不揮発記憶装置に退避したことを示すフラグをセットし、前記復元工程では、当該フラグがセットされている場合に、前記不揮発記憶装置に退避している内容を前記メモリに復元する、ことを特徴とする請求項１２に記載の画像形成装置の制御方法。
【請求項１４】
前記遷移工程で、前記スタンバイ状態におけるメモリの内容を不揮発記憶装置に退避して、前記画像形成装置を前記スタンバイ状態から前記サスペンド状態へ遷移した後、前記制御工程で、前記遷移工程を実行する遷移手段への電力供給を停止するよう制御する、ことを特徴とする請求項１２又は１３に記載の画像形成装置の制御方法。
【請求項１５】
前記制御工程では、前記サスペンド状態で電源スイッチがオフされることを監視し、前記電源スイッチがオフされた場合に、前記スタンバイ状態を経由することなく前記サスペンド状態から電源オフの状態に移行するように制御する、ことを特徴とする請求項１２乃至１４の何れか１項に記載の画像形成装置の制御方法。
【請求項１６】
前記電源スイッチは、ユーザの操作に応じてオン状態又はオフ状態になるシーソースイッチである、ことを特徴とする請求項１５に記載の画像形成装置の制御方法。
【請求項１７】
前記遷移工程は、メインボード上に配置されるメインＣＰＵによって実行され、
前記制御工程は、前記メインボードとは異なるサブボード上に配置されるサブＣＰＵによって実行される、ことを特徴とする請求項１２乃至１６の何れか１項に記載の画像形成装置の制御方法。
【請求項１８】
前記イベントは、ユーザが所定時間、操作部を操作しないこと、及び所定時間、ジョブが入力されないことの少なくとも１つを含む、ことを特徴とする請求項１２乃至１７の何れか１項に記載の画像形成装置の制御方法。
【請求項１９】
前記制御工程では、前記サスペンド状態から前記スタンバイ状態に遷移するイベントの検知に応じて、前記サスペンド状態から前記スタンバイ状態に移行するように制御する、ことを特徴とする請求項１２乃至１８の何れか１項に記載の画像形成装置の制御方法。
【請求項２０】
前記サスペンド状態から前記スタンバイ状態に遷移するイベントは、ジョブの受信、ユーザによる操作及びタイマによる所定時間の計時の少なくとも１つである、ことを特徴とする請求項１９に記載の画像形成装置の制御方法。
【請求項２１】
前記サスペンド状態では、前記制御工程を実行する制御手段に電力が供給されるが、前記制御工程を実行する遷移手段への電力供給が停止される、ことを特徴とする請求項１２乃至２０の何れか１項に記載の画像形成装置の制御方法。
【請求項２２】
用紙に画像を形成する画像形成工程をさらに有する、ことを特徴とする請求項１２乃至２１の何れか１項に記載の画像形成装置の制御方法。
【請求項２３】
ジョブを実行できるスタンバイ状態と、前記スタンバイ状態より省電力のサスペンド状態とを取り得る画像形成装置のコンピュータを、
前記スタンバイ状態から前記サスペンド状態に遷移するイベントの発生を検知する検知手段、
前記検知手段による前記イベントの発生の検知に応じて、前記スタンバイ状態におけるメモリの内容を不揮発記憶装置に退避して、前記画像形成装置を前記スタンバイ状態から前記サスペンド状態へ遷移する遷移手段、
前記サスペンド状態で電源オフが指示されると、前記スタンバイ状態を経由することなく前記サスペンド状態から電源オフの状態に移行するように制御する制御手段、及び
前記電源オフの状態で電源オンが指示されると、前記不揮発記憶装置に退避している内容を前記メモリに復元する復元手段、
として機能させるためのプログラム。
【請求項２４】
請求項２３に記載のプログラムを記憶したことを特徴とする記憶媒体。
【手続補正２】
【補正対象書類名】明細書
【補正対象項目名】発明の名称
【補正方法】変更
【補正の内容】
【発明の名称】画像形成装置及びその制御方法、プログラム並びに記憶媒体
【手続補正３】
【補正対象書類名】明細書
【補正対象項目名】０００１
【補正方法】変更
【補正の内容】
【０００１】
本発明は、ジョブを実行できるスタンバイ状態と、省電力状態であるサスペンド状態とを取り得る画像形成装置及びその制御方法、プログラム並びに記憶媒体に関する。
【手続補正４】
【補正対象書類名】明細書
【補正対象項目名】００１２
【補正方法】変更
【補正の内容】
【００１２】
上記目的を達成するために、本発明の一態様に係る画像形成装置は、ジョブを実行できるスタンバイ状態と、前記スタンバイ状態より省電力のサスペンド状態とを取り得る画像形成装置であって、前記スタンバイ状態から前記サスペンド状態に遷移するイベントの発生を検知する検知手段と、前記検知手段による前記イベントの発生の検知に応じて、前記スタンバイ状態におけるメモリの内容を不揮発記憶装置に退避して、前記画像形成装置を前記スタンバイ状態から前記サスペンド状態へ遷移する遷移手段と、前記サスペンド状態で電源オフが指示されると、前記スタンバイ状態を経由することなく前記サスペンド状態から電源オフの状態に移行するように制御する制御手段と、前記電源オフの状態で電源オンが指示されると、前記不揮発記憶装置に退避している内容を前記メモリに復元する復元手段と、を有することを特徴とする。
【手続補正５】
【補正対象書類名】明細書
【補正対象項目名】００４３
【補正方法】変更
【補正の内容】
【００４３】
Ｓ６０３で、不揮発性メモリ２０５或いは不揮発性メモリ２２５のハイバネーションフラグが立っていない場合で、かつサスペンドフラグがオンでない場合はＳ６０６に進み、メインＣＰＵ２０１は補助記憶部６等に格納されたプログラムを起動する。そしてＳ６０７に進み、その起動したプログラムによって初期化処理を行う。またＳ６０４で、サスペンドフラグが立っている場合、即ち、サスペンド状態からスタンバイ状態へ復帰する場合はＳ６０７に進み、メインＣＰＵ２０１による初期化処理を行う。